(57)【特許請求の範囲】
【請求項１】
車輪を備えた機枠に、洗浄液供給装置、この洗浄液供給装置によって洗浄液が供給された床面に作用するポリッシャー装置を設け、このポリッシャー装置を駆動する電動モータを備え、前記車輪によって床面上を移動しながら作業する電動床面作業機であって、
前記ポリッシャー装置は、機枠の車体進行方向での前後方向に並んでガイドレールによって摺動自在に支持されている複数のパッドと、前記複数のパッドにおける隣接し合う一対のパッドどうしが機枠の車体進行方向での前後方向で、かつ、互いに相反する方向に往復移動する状態に複数のパッドを前記ガイドレールに沿わせて摺動操作するとともに前記電動モータによって駆動されるパッド操作機構とを備えて構成してある電動床面作業機。
【請求項２】
移送用車輪及び操作ハンドルを備えた機枠に、洗浄液供給装置、この洗浄液供給装置によって洗浄液が供給された床面に作用するポリッシャー装置を設け、このポリッシャー装置を駆動する電動モータを備え、前記ポリッシャー装置のパッドが床面上に載置されて作業機全体の重量を支持しながら作業する電動床面作業機であって、
前記ポリッシャー装置は、機枠の前記移送用車輪の車軸芯に対して直交する方向に並んでガイドレールによって摺動自在に支持されている複数のパッドと、前記複数のパッドにおける隣接し合う一対のパッドどうしが機枠の前記車軸芯に対して直交する方向で、かつ、互いに相反する方向に往復移動する状態に複数のパッドを前記ガイドレールに沿わせて摺動操作するとともに前記電動モータによって駆動されるパッド操作機構とを備えて構成してある電動床面作業機。
【請求項３】
前記洗浄液供給装置は、前記パッドどうしの間で床面に洗浄液供給するノズルを備えている請求項１又は２記載の電動床面作業機。
【請求項４】
前記洗浄液供給装置は、前記複数のパッドのいずれよりも車体進行方向での前方側で床面に洗浄液供給するノズルを備えている請求項１〜３のいずれか1項に記載の電動床面作業機。
【請求項５】
前記複数のパッドが矩形である請求項１〜４のいずれか１項に記載の電動床面作業機。
【発明の詳細な説明】
【０００１】
【発明の属する技術分野】
本発明は、洗浄液供給装置、この洗浄液供給装置によって洗浄液が供給された床面に作用するポリッシャー装置、このポリッシャー装置を駆動する電動モータを備えている電動床面作業機に関する。
【０００２】
【従来の技術】
上記電動床面作業機では、従来、ポリッシャー装置にパッドを回転自在に備え、このパッドを駆動回転させながら床面にこすり作用させるようになっていた。
【０００３】
【発明が解決しようとする課題】
回転パッドの場合、回転軸芯側での周速度が外周側での周速度より遅くなる。このために、従来の作業機では、パッドの中心側が適切な周速度で回転して床面の磨きや洗浄処理を適切に行うようにすると、パッドの外周側の周速度が速くなり、洗浄液が周囲に跳ね飛ばされやすくなっていた。パッドが広範囲にわたって作用するようにパッドの直径を大きくすると殊に、パッド外周側の周速度が著しく速くなり、その問題が大になっていた。
【０００４】
また、従来、たとえば特開平７−３９５０６号公報に示されるように、パッドが可動支点を介して機枠によって支持され、駆動回動自在な偏心カムによって揺動駆動されるものがあった。
この揺動パッドの場合、パッドが往復移動するストロークを大にするには、可動支点の変形量を大にする必要がある。ところが、可動支点の変形量が大になるようにすると、パッドを床面に押し付ける荷重のために可動支点が変形して駆動不良が発生しやすくなる。これにより、実際問題としては、可動支点の変形量をあまり大きくできなくてパッドの移動ストロークを大きくできず、パッドが床面に作用する範囲をあまり大きくできなかった。また、この場合、パッドが上下にも往復動して振動が発生するものであった。
【０００５】
本発明の目的は、ポリッシャー装置のパッドがその全面にわたって適切な速度で作動しながら床面の広い範囲にわたって作用し、しかも、洗浄水の飛散や振動が発生しにくい電動床面作業機を提供することにある。
【０００６】
【課題を解決するための手段】
請求項１による発明の構成、作用、効果はつぎのとおりである。
【０００７】
〔構成〕
車輪を備えた機枠に、洗浄液供給装置、この洗浄液供給装置によって洗浄液が供給された床面に作用するポリッシャー装置を設け、このポリッシャー装置を駆動する電動モータを備え、前記車輪によって床面上を移動しながら作業する電動床面作業機において、
前記ポリッシャー装置は、機枠の車体進行方向での前後方向に並んでガイドレールによって摺動自在に支持されている複数のパッドと、前記複数のパッドにおける隣接し合う一対のパッドどうしが機枠の車体進行方向での前後方向で、かつ、互いに相反する方向に往復移動する状態に複数のパッドを前記ガイドレールに沿わせて摺動操作するとともに前記電動モータによって駆動されるパッド操作機構とを備えて構成してある。
【０００８】
〔作用〕
複数のパッドが機枠によって摺動自在に支持されており、操作機構が電動モータによって駆動され、隣接し合う一対のパッドがパッドの並ぶ方向で、かつ、互いに相反する方向に往復移動するように複数のパッドを駆動するものだから、パッドの面積を大きくしても、従来の回転パッドの如く高速駆動しなくても、各パットが全面にわたって適切な速度で作動しながら床面に作用するようにでき、かつ、各パッドが全ストロークにわたってスムーズに往復移動するとともに上下動しにくい状態で往復移動するようにしながらパッドの移動ストロークを大にでき、さらに、パッド間に溜まった洗浄液をパッドで挟まれてパッド間から流出しにくくできる。
パッドが機枠の車体進行方向での前後方向に並んでいて前後方向に往復移動するものだから、壁際を作業する際、パッドの横端が壁際の近くを壁に沿って移動していくようにして作業できる。また、前側のパッドが移動した後を後側のパッドが移動していき、パッドどうしの間に隙間ができても、かつ、パッドを長方形など簡素な矩形にしても、処理もれができないようにしながら作業できる。
【０００９】
〔効果〕
従って、パッドの面積及び移動ストロークを大にするとともにパッドを全面にわたって適切な作動速度で床面に作用させ、広い床面であっても処理むらや処理もれが無いとか少ない仕上がり精度の良い状態に能率よく作業できる。
【００１０】
しかも、パッドをあまり高速で駆動する必要がなくてパッドによる洗浄液の跳ね飛ばしを抑制できることと、パッドどうしの間から洗浄液が流出しにくいこととによって洗浄液が飛散しにくく、飛散した洗浄液で壁が汚れるなどの事態を発生しにくくしながら作業できる。さらに、パッドが上下に振動しにくくてこすり作用を効果的に行い、この面からも精度のよい仕上がりが得られる。
壁際でも、パッドの横端を壁に極力接近させて処理もれが極力できないようにして作業できる。また、パッドを簡素な形状にして安価に得ながら、パッドどうしの隙間に起因する処理もれが出ない作業を行える。
【００１１】
請求項２による発明の構成、作用、効果は、つぎのとおりである。
〔構成〕
移送用車輪及び操作ハンドルを備えた機枠に、洗浄液供給装置、この洗浄液供給装置によって洗浄液が供給された床面に作用するポリッシャー装置を設け、このポリッシャー装置を駆動する電動モータを備え、前記ポリッシャー装置のパッドが床面上に載置されて作業機全体の重量を支持しながら作業する電動床面作業機において、
前記ポリッシャー装置は、機枠の前記移送用車輪の車軸芯に対して直交する方向に並んでガイドレールによって摺動自在に支持されている複数のパッドと、前記複数のパッドにおける隣接し合う一対のパッドどうしが機枠の前記車軸芯に対して直交する方向で、かつ、互いに相反する方向に往復移動する状態に複数のパッドを前記ガイドレールに沿わせて摺動操作するとともに前記電動モータによって駆動されるパッド操作機構とを備えて構成してある。
〔作用、効果〕
この作業機は、機体全体の重量がパッドに掛かる状態にして作業するものであるが、パッドがガイドレールによって摺動自在に支持され、パッドの並ぶ方向に、かつ、相反する方向に往復移動するように駆動されるものであるから、各パッドに作用する処理反力が互いに打ち消し合って処理反力によるずれ動きや振動が機体に発生しにくいようにしながら作業できる。これにより、操作ハンドルを軽く持つだけでも機体が安定するとともに、操作ハンドルを持つ手に振動が伝わりにくくて楽に作業できる。
【００１２】
請求項３による発明の構成、作用、効果はつぎのとおりである。
〔構成〕
請求項１又は２による発明の構成において、前記洗浄液供給装置は、前記パッドどうしの間で床面に洗浄液供給するノズルを備えている。
【００１３】
〔作用〕
洗浄液がパッドどうしの間で床面に供給されるものだから、パッドによって床面に塗り延ばされた残りの洗浄液がパッド間に溜まりやすくなり、パッド間に溜まった洗浄液はパッドで挟まれてパッド間から流出しにくくなる。
【００１４】
〔効果〕
従って、床面に塗り延ばされた残りの洗浄液がパッド間に溜まって流出しにくく、洗浄液が飛散しにくくなる。
【００１５】
請求項４による発明の構成、作用、効果はつぎのとおりである。
【００１６】
〔構成〕
請求項１〜３のいずれか１項による発明の構成において、前記洗浄液供給装置は、前記複数のパッドのいずれよりも車体進行方向での前方側で床面に洗浄液供給するノズルを備えている。
【００１７】
〔作用〕
複数のパッドのいずれよりも車体進行方向での前方側で床面に洗浄液供給するノズルを備えているものだから、機体を前進移動させて作業すれば、いずれのパッドも洗浄液が供給された後の床面に移動していき、いずれのパッドも洗浄液が付着した状態で床面にこすり作用する状態になる。
【００１８】
〔効果〕
従って、いずれのパッドも洗浄液が付着した状態で床面のこすり処理を行い、仕上がりの良い作業ができる。
【００１９】
【００２０】
【００２１】
【００２２】
【００２３】
請求項５による発明の構成、作用、効果はつぎのとおりである。
【００２４】
〔構成〕
請求項１〜４のいずれか１項による発明の構成において、前記複数のパッドが矩形である。
【００２５】
〔作用〕
パッドが矩形であるから、部屋の隅角でもパッドが行き届くようにして機体を設置して処理できる。
【００２６】
〔効果〕
従って、部屋の隅角でもパッドが行き届いて処理もれのない作業を行える。
【００２７】
【発明の実施の形態】
〔第１実施形態〕
図１に示すように、車体フレーム１の前後及び左右方向での中央部に一つの前車輪２が、車体フレーム１の後部の両横側にキャスタ車輪で成る遊転自在な後車輪３がそれぞれ付いており、前記車体フレーム１の後端部に下端側が固定されている操縦塔４、この操縦塔４の上端部の両横側に固定されている操縦ハンドル５、車体フレーム１の後部に車体前後方向に並べて搭載してある複数個のバッテリー６を有する電力供給部のそれぞれを備えている車体に、前記車体フレーム１の前端部の下方で車体前後方向に並んでいる一対の洗浄ノズル１１を有している洗浄液供給装置１０、前記車体フレーム１の前端部の下方で車体の前後方向に並んでいる一対のパッド２１を有しているポリッシャー装置２０、前記車体フレーム１の後端部に連結しているスクイジー３１を有している洗浄液回収装置３０を備えさせて、電動床面作業機を構成してある。
【００２８】
この作業機は、前車輪２のリム部に一体回動自在に連結している車輪駆動スプロケット２ａに伝動チェーン７を介して出力スプロケット８ａが連動している電動走行モータ８によって前車輪２を駆動し、この前車輪２と前記一対の後車輪３とによって車体を自走させて、床面の洗浄及び磨き処理を行うものである。すなわち、車体が自走するに伴い、洗浄液供給装置１０が車体前部に搭載してある洗浄液タンク１２に貯留されている洗浄液を一対の洗浄ノズル１１によって床面に供給し、洗浄液が供給された床面をポリッシャー装置２０が一対のパッド２１によって洗浄及び磨き処理し、洗浄液回収装置３０が洗浄処理後の汚れた洗浄液を車体後部に搭載してある回収タンク３２に回収していくものであり、詳しくは、次の如く構成してある。
【００２９】
図１、図２などに示すように、洗浄液供給装置１０は、車体フレーム１の前部に昇降機構４０を介して箱型の枠体を連結することによって設けた昇降調節自在なサブフレーム２２の前壁部２２ａの外面側に左右一対の支持ブラケット２２ｂを介して固定した車体横方向に長い1 本の金属製パイプで成る前記前側の洗浄ノズル１１と、前記前後一対のパッド２１どうしの間の上方近くに位置するように配置して、前記サブフレーム２２の左右の横壁部２２ｃにわたって固定した車体横方向に長い１本の金属製パイプで成る前記後側の洗浄ノズル１１と、各洗浄ノズル１１の両端側に洗浄液供給ホース１３を介して排出口１２ａが連通している前記洗浄液タンク１２とを備えて構成してある。
【００３０】
前記洗浄液供給ホース１３は、各洗浄ノズル１１の両端側に一端側が各別に連通している複数本のノズル側ホース１３ａと、この複数本のノズル側ホース１３ａそれぞれの他端側に分配管１４を介して一端側が連通し、他端側が洗浄液タンク１２の排出口１２ａに連通し、さらに途中に電磁開閉弁１５を備えているタンク側ホース１３ｂとによって構成してある。
【００３１】
図３、図４などに示すように、前記昇降機構４０は、サブフレーム２２に固定の連結部材４１と、車体フレーム１が備えている支持部材１ａの両横側で前記連結部材４１と前記支持部材１ａとにわたって取付けた上下一対の揺動リンク４２と、上側の揺動リンク４２を支持部材１ａに回動自在に連結している回転軸４３の一端部に一体回動自在に連結している操作部材４４と、この操作部材４４が回動自在に備えているめねじ部材４５に出力ねじ軸４６ａが螺合している電動昇降モータ４６とを備えて構成してある。
【００３２】
昇降機構４０は、昇降モータ４６を正回転方向や逆回転方向に駆動することにより、操作部材４４が昇降モータ４６の駆動力で上昇側に揺動操作されて揺動リンク４２を上昇操作することによってサブフレーム２２を上昇調節したり、揺動リンク４２を下降操作することによってサブフレーム２２を下降調節する。これにより、昇降モータ４６を操作してサブフレーム２２を昇降調節することにより、ポリッシャー装置２０は、一対のパッド２１が床面上に下降して磨き処理に必要な接触圧で接触するようになった下降作業状態と、一対のパッド２１が床面から浮上してパッド２１の床面との接触を回避しながら走行できる上昇非作業状態とに切り換わる。そして、ポリッシャー装置２０を下降作業状態にすると、前後一対の洗浄ノズル１１が床面上の近くに下降し、ポリッシャー装置２０を上昇非作業位置にすると、前後一対の洗浄ノズル１１が床面上から高く上昇する。
【００３３】
従って、洗浄液供給装置１０は、洗浄液タンク１２の後端側の上部に着脱自在な蓋１２ｂによって開閉できるように備えてある供給口から洗浄液を洗浄タンク１２に投入して貯留しておき、ポリッシャー装置２０を下降作業状態に切り換えて電磁開閉弁１５を開き操作することにより、床面に洗浄液を供給する。
すなわち、ポリッシャー装置２０を下降作業状態に切り換えると、一対の洗浄ノズル１１が床面上近くに下降した作業状態になり、洗浄液タンク１２の洗浄液が自然流下によって洗浄液供給ホース１３のタンク側ホース１３ｂに流入し、分配管１４によって各ノズル側ホース１３ａに分配されて各洗浄ノズル１１に両端側から流入する。すると、前側の洗浄ノズル１１は、これの長手方向の複数箇所に設けてある供給孔１１ａのそれぞれから前後一対のパッド２１のいずれよりも車体前方側で床面に洗浄液を滴下させる。後側の洗浄ノズル１１は、これの長手方向の複数箇所に設けてある供給孔１１ａのそれぞれから前後一対のパッド２１のパッドどうしの間で床面に洗浄液を滴下させる。
【００３４】
図４、図５などに示すように、ポリッシャー装置２０は、前記サブフレーム２２の内部の両横側に分散して位置している左右一対の車体前後向きの丸棒材で成るガイドレール２３、前記サブフレーム２２の下部に車体前後方向に並んで位置しているとともにそれぞれが平面視で車体横方向に長い長方形を備えた矩形の前後一対のパッド支持体２４と、前記サブフレーム２２の下方で車体前後方向に並んでいるとともにそれぞれが平面視で車体横方向に長い長方形を備えた矩形の前記前後一対のパッド２１と、前記サブフレーム２２の内部に位置している大径ギヤ５１などを備えているパッド操作機構５０とを備えて構成してある。
【００３５】
図６などに示すように、左右一対のガイドレール２３のそれぞれは、サブフレーム２２の前壁部２２ａと後壁部２２ｅとにわたって固定されている。前側のパッド支持体２４は、これの上面側の両横側に固定されている取付けブロック２５により、左右一対のガイドレール２３の前端側どうしにわたって摺動自在に取付いており、後側のパッド支持体２４は、これの上面側の両横側に固定されている取付けブロック２５により、左右一対のガイドレール２３の後端側どうしにわたって摺動自在に取付いている。
【００３６】
前側のパッド２１は、パッド２１の上面側に付いている取付け板２６の一端側に位置する取付け爪２６ａをパッド支持体２４の取付け孔に係入させ、前記取付け板２６の他端側に付いている取付け金具２７をパッド支持体２４が備えているフック２８によってパッド支持体２４に締め付け連結してあることにより、前側のパッド支持体２４の下面側に着脱自在に連結しており、パッド支持体２４、左右一対のガイドレール２３を介してサブフレーム２２によって車体前後方向に摺動自在に支持されている。後側のパッド２１は、前側のパッド２１と同一の取付け構造によって後側のパッド支持体２４の下面側に着脱自在に連結しており、パッド支持体２４、左右一対のガイドレール２３介してサブフレーム２２によって車体前後方向に摺動自在に支持されている。
【００３７】
図４、図５、図６などに示すように、前記パッド操作機構５０は、サブフレーム２２の天板２２ｄの上面側にモータ本体が固定されているポリッシャーモータ２９の本体から車体下向きに突出している出力軸２９ａに一体回転自在に連結している前記大径ギヤ５１と、この大径ギヤ５１の前側の両横側で天板２２ｄが備えている支軸５２によってこの支軸５２の軸芯５２ａまわりで回動自在に支持されているとともにギヤ部５３ａが前記大径ギヤ５１に噛合っている回転操作体５３と、大径ギヤ５１の後側の両横側で天板２２ｄが備えている支軸５２によってこの支軸５２の軸芯５２ａまわりで回動自在に支持されているとともにギヤ部５３ａが前記大径ギヤ５１に噛合っている回転操作体５３とを備えて構成してある。
【００３８】
大径ギヤ５１の前側に位置する左右一対の回転操作体５３それぞれの下面側に、ローラ支持体５４を一体回動自在に連結することによって回転操作体５３の回転軸芯５２ａとは偏芯した回転軸芯を備えているベアリングで成る操作ローラ５５を備えさせ、この左右一対の回転操作体５３それぞれの前記操作ローラ５５は、前側のパッド支持体２４の上面側に前後一対の溝形成部材５６を取付けて設けてある操作溝５７に摺動及び回転自在に入り込ませてある。大径ギヤ５１の後側に位置する左右一対の回転操作体５３それぞれの下面側にも前側の回転操作体５３と同様に回転操作体５３の回転軸芯５２ａとは偏芯した回転軸芯を備えている操作ローラ５５を備えさせ、この左右一対の回転操作体５３それぞれの前記操作ローラ５５は、後側のパッド支持体２４の上面側に前後一対の溝形成部材５６を取付けて設けてある操作溝５７に摺動及び回転自在に入り込ませてある。
【００３９】
これにより、パッド操作機構５０は、ポリッシャーモータ２９によって駆動され、一対のパッド２１が左右のガイドレール２３に沿って両パッド２１の並ぶ車体前後方向で、かつ、互いに相反する方向に往復移動するように一対のパッド２１を往復摺動させる。
【００４０】
すなわち、ポリッシャーモータ２９が駆動されると、大径ギヤ５１がポリッシャモータ２９によって駆動されて全ての回転操作体５３を連動させて回転操作する。すると、大径ギヤ５１の前側に位置している左右一対の回転操作体５３が操作ローラ５５によって前側のパッド支持体２４を左右のガイドレール２３に沿わせて往復摺動させることによって前側のパッド２１を左右のガイドレール２３に沿わせて車体前後方向に往復移動させる。大径ギヤ５１の後側に位置している左右一対の回転操作体５３が操作ローラ５５によって後側のパッド支持体２４を左右のガイドレール２３に沿わせて往復摺動させることによって後側のパッド２１を左右のガイドレール２３に沿わせて車体前後方向に往復移動させる。前側の回転操作体５３と後側の回転操作体５３は、これらの組付け位相の設定により、一方のパッド支持体２４が車体後方向きに摺動するときには他方のパッド支持体２４が車体前方向きに摺動する如く、互いにパッド支持体２４を反対向きに摺動操作する。
【００４１】
従って、ポリッシャー装置２０は、昇降モータ４６による昇降機構４０の下降操作によって前記下降作業状態にしてポリッシャーモータ２６を駆動すれば、床面の洗浄及び磨き処理を行っていく。
すなわち、ポリッシャーモータ２９がパッド操作機構５０の大径ギヤ５１を駆動することにより、パッド操作機構５０が駆動されて前後一対のパッド２１を床面上で車体前後方向で、かつ、相反する方向に往復移動するように駆動し、前後一対のパッド２１によって前後の洗浄ノズル１１から滴下し洗浄液を床面に塗り延ばしながら床面を磨いて行く。このとき、前側の洗浄ノズル１１が前側のパッド２１の前側で、後側の洗浄ノズル１１が前後パッド２１の間でそれぞれ洗浄液を供給することにより、前側パッド２１の前側だけとか、両パッド２１の間だけで洗浄液が供給される場合に比し、各洗浄ノズル１１によって供給される洗浄液を少な目にしても、適量の洗浄液が両パッド２１に確実に付着するとともに床面に塗り延ばされ、この結果、余剰分となって床面上に溜まる洗浄液が極力少なくなるようにしながら作業できる。また、一対のパッド２１がこれの並ぶ方向で、相反する方向に往復摺動することにより、床面に塗り延ばされた残りの洗浄液をパッド間に溜めて両パッド２１で挟み、周辺に流出したり飛散しにくくしながら洗浄及び磨き処理を行っていく。
【００４２】
図１に示すように、洗浄液回収装置３０は、操縦塔４の下方に位置している前記スクイジー３１と、このスクイジー３１の車体左右方向での中央部に位置する吸引部３１ａに吸引ホース３３を介してタンク内が連通している前記回収タンク３２と、この回収タンク３２の内部に排気ホース３４を介して吸気部が連通している電動真空ポンプ３５とを備えて構成してある。
【００４３】
スクイジー３１は、下端側が床面に接触した下降作業状態と床面から浮上した上昇非作業状態とに昇降操作自在に車体フレーム１に連結してあり、洗浄液回収装置３０は、スクイジー３１を下降作業状態にして真空ポンプ３５を駆動すれば、ポリッシャー装置２０が洗浄及び磨き処理した後の汚れた洗浄液を回収タンク３２に回収していく。
すなわち、真空ポンプ３５が回収タンク３２の内部の空気を排気ホース３４を通して取出して排気部３５ａから外部に排出し、回収タンク３２に吸引力を発生させる。スクイジー３１がポリッシャー装置２０の通過した後の床面上に残っている汚れた洗浄液をスクイジー３１の湾曲によってスクイジー３１の中央部に掻き集め、吸引ホース３３がスクイジー３１の中央部に集められた洗浄液を回収タンク３２の吸引力によってスクイジー３１の吸引部３１ａから吸引して回収タンク３２に送り込む。
【００４４】
〔第２実施形態〕
図７は、第２実施形態を備える電動床面作業機を示し、この作業機にあっては、機枠６０の後部に取付けた左右一対の移送用車輪６１、機枠６０の前後方向での中央部の両横側に二又形の基端部６２ａが連結している操作ハンドル６２を備えた機体に、前記機枠６０の下方で機枠６０の前後方向に並んでいる前後一対の洗浄ノズル７１を備えている洗浄液供給装置７０、前記機枠６０の下方で機体の前後方向に並んでいる前後一対のパッド２１を備えているポリッシャー装置２０を備えさせて構成してある。
【００４５】
この作業機は、操作ハンドル６２を握り部６２ｂによって支持して操作することにより、図８に示す如く機体を移送用車輪６１によって作業箇所に移動させ、作業箇所では、全体の重量が一対のパッド２１に掛かるようにして両パッド２１によって床面上に載置して床面を洗浄及び磨き処理するものである。
すなわち、操作ハンドル６２の途中に取付けてある洗浄液タンク７２に貯留されている洗浄液を一対の洗浄ノズル７１によって床面に供給し、洗浄液が供給された床面をポリッシャー装置２０が一対のパッド２１によって洗浄及び磨き処理するものであり、詳しくは、次の如く構成してある。
【００４６】
洗浄液供給装置７０は、前記前後一対のパッド２１のいずれよりも機体前方側に位置するように配置して機枠６０の前壁部の外面側に固定してある車体横方向に長い1 本の金属製パイプで成る前記前側の洗浄ノズル７１と、前記前後一対のパッド２１どうしの間に位置するように配置して機枠６０の左右の横壁部にわたって固定した車体横方向に長い１本の金属製パイプで成る前記後側の洗浄ノズル７１と、各洗浄ノズル７１の両端側に洗浄液供給ホース７３を介して排出部７２ａが連通している前記洗浄液タンク７２とを備えて構成してある。
【００４７】
前記洗浄液供給ホース７３は、各洗浄ノズル７１の両端側に一端側が各別に連通している複数本のノズル側ホース７３ａと、この複数本のノズル側ホース７３ａそれぞれの他端側に分配管７４を介して一端側が連通し、他端側が洗浄液タンク７２の排出部７２ａに連通しているタンク側ホース７３ｂとによって構成してある。
【００４８】
洗浄液タンク７２の排出部７２ａに開閉バルブ７５を内装してあるとともに、この開閉バルブ７５を操作ケーブルを介して切換え操作する開閉レバー７６を操作ハンドル６２の握り部６２ｂの下方近くに設けてある。
【００４９】
従って、洗浄液供給装置７０は、洗浄タンク７２の上部に備えてある供給口７２ｂから洗浄液を洗浄液タンク７２に投入して貯留しておき、開閉レバー７６によって開閉バルブ７５を開き操作することにより、床面に洗浄液を供給する。
すなわち、洗浄液タンク７２の洗浄液が自然流下によって洗浄液供給ホース７３のタンク側ホース７３ｂに流入し、分配管７４によって各ノズル側ホース７３ａに分配されて各洗浄ノズル７１に両端側から流入する。すると、前側の洗浄ノズル７１は、これの長手方向の複数箇所に設けてある供給孔のそれぞれから前後一対のパッド２１のいずれよりも車体前方側で床面に洗浄液を滴下させる。後側の洗浄ノズル７１は、これの長手方向の複数箇所に設けてある供給孔のそれぞれからパッド２１どうしの間で床面に洗浄液を滴下させる。
【００５０】
図9 、図１０に示すように、ポリッシャー装置２０は、前記機枠６０の内部の両横側に分散して位置している左右一対の車体前後向きの丸棒材で成るガイドレール２３と、前記機枠６０の下部に車体前後方向に並んで位置しているとともにそれぞれが平面視で車体横方向に長い長方形を備えた矩形の前後一対のパッド支持体２４と、前記機枠６０の下方で車体前後方向に並んでいるとともにそれぞれが平面視で車体横方向に長い長方形を備えた矩形の前記前後一対のパッド２１と、前記機枠６０の内部の中央に位置している大径ギヤ８１などを備えているパッド操作機構８０とを備えて構成してある。
【００５１】
左右一対のガイドレール２３のそれぞれは、機枠６０の前壁部と後壁部とにわたって固定されている。前側のパッド支持体２４は、これの上面側の両横側に固定されている取付けブロック２５により、左右一対のガイドレール２３の前端側どうしにわたって摺動自在に取付いており、後側のパッド支持体２４は、これの上面側の両横側に固定されている取付けブロック２５により、左右一対のガイドレール２３の後端側どうしにわたって摺動自在に取付いている。
【００５２】
前側のパッド２１は、第1 実施形態のポリッシャー装置２０におけるパッドと同様の取付け構造によって前側のパッド支持体２４の下面側に着脱自在に取付けてあり、パッド支持体２４及び左右一対のガイドレール２３を介して機枠６０によって車体前後方向に摺動自在に支持されており、後側のパッド２１は、前側のパッド２１と同様の取付け構造によって後側のパッド支持体２４の下面側に着脱自在に取付けてあり、パッド支持体２４及び左右一対のガイドレール２３を介して機枠６０によって車体前後方向に摺動自在に支持されている。
【００５３】
前記パッド操作機構８０は、機枠６０の天板６０ａの上面側にモータ台６４を介して固定されているポリッシャーモータ２９のモータ本体から車体下向きに突出している出力軸２９ａに一体回転自在に連結している前記大径ギヤ８１と、この大径ギヤ８１の前後及び左右側に別れた一対の部位の一方で、機枠６０の天板６０ａに固定の支軸８２ａによってこの支軸８２ａの軸芯８２ｂまわりで回転自在に支持されている回転操作体８２と、前記一対の部位の他方で、機枠６０の天板６０ａに固定の支軸８２ａによってこの支軸８２ａの軸芯８２ｂまわりで回転自在に支持されている回転操作体８２と、前記機枠６０の内側で、一方の回転体操作体８２のこれの回転軸芯８２ｂとは偏芯した部位に一端側が相対回動自在に連結し、他端側が前側のパッド支持体２４の上面側に相対回動自在に連結していて回転操作体８２と前側のパッド支持体２４を連動させているリンク８３と、他方の回転体操作体８２のこれの回転軸芯８２ｂとは偏芯した部位に一端側が相対回動自在に連結し、他端側が後側のパッド支持体２４の上面側に相対回動自在に連結していて回転操作体８２と後側のパッド支持体２４を連動させているリンク８３とを備えて構成してある。前記一対の回転操作体８２のいずれもは、下端側にギヤ分８２ｃを備えており、このギヤ部８２ｃによって前記大径ギヤ５１に噛合っている。
【００５４】
これにより、パッド操作機構８０は、ポリッシャーモータ２９によって駆動され、一対のパッド２１が左右のガイドレール２３に沿って両パッド２１の並ぶ車体前後方向で、かつ、互いに相反する方向に往復移動するように一対のパッド２１を往復摺動させる。
【００５５】
すなわち、ポリッシャーモータ２９が駆動されると、大径ギヤ８１がポリッシャモータ２９によって駆動されて一対の回転操作体８２を連動させて回転操作する。すると、各回転操作体８２に連結しているリンク８３が、回転操作体８２の回動力を往復の直線動力に変換し、この動力によってパッド支持体２４を左右のガイドレール２３に沿わせて往復摺動させることによってパッド２１を左右のガイドレール２３に沿わせて機枠６０の前後方向に往復移動させる。一対の回転操作体８２は、これらの組付け位相の設定のため、一方のパッド支持体２４が車体後方向きに摺動するときには他方のパッド支持体２４が車体前方向きに摺動する如く、互いにパッド支持体２４を反対向きに摺動操作する。
【００５６】
従って、ポリッシャー装置２０は、機体６０がパッド２１によって床面に載置した状態にしてポリッシャーモータ２９を駆動すれば、ポリッシャーモータ２９がパッド操作機構８０の大径ギヤ８１を駆動することにより、パッド操作機構８０が駆動されて前後一対のパッド２１を床面上で車体前後方向で、かつ、相反する方向に往復移動するように駆動し、前後一対のパッド２１によって前後の洗浄ノズル１１から滴下し洗浄液を床面に塗り延ばしながら床面を磨いて行く。
【００５７】
この作業機は、機体全体の重量がパッド２１に掛かる状態にして作業するものであるが、一対のパッド２１がパッド支持体２４、ガイドレール２３を介して機枠６０によって摺動自在に支持され、パッド２１の並ぶ方向に、かつ、相反する方向に往復移動するように駆動されるものであるから、各パッド２１に作用する処理反力が互いに打ち消し合って処理反力によるずれ動きや振動が機体に発生しにくいようにしながら作業できる。これにより、操作ハンドル６２を軽く持つだけでも機体が安定するとともに、操作ハンドル６２を持つ手に振動が伝わりにくくて楽に作業できる。
【００５８】
〔別実施形態〕
上記各実施形態の如く２枚のパッド２１を備えて実施する他、３枚以上のパッド２１を採用して実施してもよい。この場合、複数枚のパッド２１のうち、隣接し合う一対のパッド２１がパッド２１の並ぶ方向で、相反する方向に往復摺動する状態で複数枚のパッド２１が移動操作されるように構成して実施すれば、本発明の目的を達成できる。
【００５９】
洗浄液供給装置１０，７０としては、複数枚のパッド２１のいずれよりも前側で洗浄液を供給する洗浄ノズルのみとか、パッド２１どうしの間で洗浄液を供給する洗浄ノズルのみを備えたものを採用して実施してもよい。
【００６０】
【図面の簡単な説明】
【図１】第１実施形態を備える電動床面作業機全体の縦断側面図
【図２】ポリッシャー装置の斜視図
【図３】ポリッシャー装置の平面図
【図４】ポリッシャー装置の縦断側面図
【図５】操作機構の正面図
【図６】操作機構の平面図
【図７】第２実施形態を備える電動床面作業機全体の斜視図
【図８】電動床面作業機の移送要領を示す説明図
【図９】ポリッシャー装置の縦断側面図
【図１０】操作機構の平面図
【符号の説明】
２２，６０        機枠
１０，７０        洗浄液供給装置
１１，７１        洗浄ノズル
２０              ポリッシャー装置
２１              パッド
２９              電動モータ
５０，８０        パッド操作機構
【図１】
0003623202.tif 000002
【図２】
0003623202.tif 000003
【図３】
0003623202.tif 000004
【図４】
0003623202.tif 000005
【図５】
0003623202.tif 000006
【図６】
0003623202.tif 000007
【図７】
0003623202.tif 000008
【図８】
0003623202.tif 000009
【図９】
0003623202.tif 000010
【図１０】
0003623202.tif 000011